(57)【要約】【課題】  省電力状態から復帰する場合にプリンタ部等の準備動作によって無駄に電力が消費されることおよび騒音が発生することを防止する。【解決手段】  画像形成装置は、画像データに基づいて用紙に画像を形成する画像形成手段と、画像形成手段の駆動を制御する制御手段と、画像形成手段および制御手段への電力供給が停止される省電力状態から画像形成手段および制御手段へ電力が供給されるスタンバイ状態に移行させる要因が検出された場合、画像形成手段および制御手段に電力を供給する電力供給手段と、を備えている。省電力状態のときに要因として第１種類の要因が検知された場合、制御手段および画像形成手段に電力供給手段から電力が供給され、且つ、制御手段は、画像形成手段の駆動を制限し、用紙に画像を形成する機能を実行させる指示を受け付けた場合に、制御手段は、画像形成手段の駆動の制限を解除する。【選択図】  図１２
2019069604.tif 000002
【特許請求の範囲】
【請求項１】
画像データに基づいて用紙に画像を形成する画像形成手段と、
前記画像形成手段の駆動を制御する制御手段と、
前記画像形成手段および前記制御手段への電力供給が停止される省電力状態から前記画像形成手段および前記制御手段へ電力が供給されるスタンバイ状態に移行させる要因が検出された場合、前記画像形成手段および前記制御手段に電力を供給する電力供給手段と、を備え、
前記省電力状態のときに前記要因として第１種類の要因が検知された場合、前記制御手段および前記画像形成手段に前記電力供給手段から電力が供給されるが、前記制御手段は、前記画像形成手段の準備動作を制限し、
用紙に画像を形成する機能を実行させる指示を受け付けた場合に、前記制御手段は、前記画像形成手段の準備動作を実行する、ことを特徴とする画像形成装置。
【請求項２】
前記画像形成手段の準備動作とは、前記画像形成手段が用紙に画像を形成することができる状態になるまでに実行される動作である、ことを特徴とする請求項１に記載の画像形成装置。
【請求項３】
前記準備動作は、前記画像形成手段の感光ドラムを回転させる動作を含む、ことを特徴とする請求項１または２に記載の画像形成装置。
【請求項４】
前記省電力状態のときに前記要因として第２種類の要因が検出された場合、前記制御手段および前記画像形成手段に前記電力供給手段から電力が供給され、且つ、前記制御手段は、前記画像形成手段の準備動作を実行する、ことを特徴とする請求項１または２に記載の画像形成装置。
【請求項５】
前記第２種類の要因は、前記画像形成手段に画像を形成させる印刷要求である、ことを特徴とする請求項４に記載の画像形成装置。
【請求項６】
用紙に画像を形成する機能を実行させる指示を受け付けるための画面を表示する表示手段をさらに備える、ことを特徴とする請求項１乃至５のいずれか１項に記載の画像形成装置。
【請求項７】
前記画像形成装置に接近する物体を検知する検知手段をさらに備え、
前記第１種類の要因は、前記検知手段が前記画像形成装置に接近する物体を検知したことを含む、ことを特徴とする請求項１乃至６のいずれか１項に記載の画像形成装置。
【請求項８】
ユーザの操作を受け付ける操作手段をさらに備え、
前記第１種類の要因は、前記操作手段がユーザによって操作されたことを含む、ことを特徴とする請求項１乃至６のいずれか１項に記載の画像形成装置。
【請求項９】
前記第１種類の要因が検知された場合に、前記制御手段に信号を出力する信号出力手段をさらに備え、
前記制御手段は、前記信号が入力される場合に、前記画像形成手段の準備動作を実行せず、前記信号が入力されない場合に、前記画像形成手段の準備動作を実行する、ことを特徴とする請求項１乃至８のいずれか１項に記載の画像形成装置。
【請求項１０】
前記信号出力手段は、用紙に画像を形成する機能を実行させる指示を受け付けた場合に、前記信号の出力を停止し、前記制御手段は、前記信号の入力が停止される場合に、前記画像形成手段の準備動作の制限を解除する、ことを特徴とする請求項９に記載の画像形成装置。
【請求項１１】
画像データに基づいて用紙に画像を形成する画像形成手段と、前記画像形成手段の駆動を制御する制御手段と、前記画像形成手段および前記制御手段への電力供給が停止される省電力状態から前記画像形成手段および前記制御手段へ電力が供給されるスタンバイ状態に移行させる要因が検出された場合、前記画像形成手段および前記制御手段に電力を供給する電力供給手段と、を備える画像形成装置の制御方法であって、
前記省電力状態のときに前記要因として第１種類の要因が検知された場合、前記制御手段および前記画像形成手段に前記電力供給手段から電力が供給され、且つ、前記制御手段は、前記画像形成手段の準備動作を制限し、
用紙に画像を形成する機能を実行させる指示を受け付けた場合に、前記制御手段は、前記画像形成手段の準備動作を実行する、ことを特徴とする画像形成装置の制御方法。
【発明の詳細な説明】
【技術分野】
【０００１】
本発明は、画像形成装置を省電力状態から復帰させる技術に関する。
【背景技術】
【０００２】
プリントやスキャンなどの機能が実行されていないときに、当該機能を実行するプリント部やスキャナ部（以下、適宜プリンタ部等と略記する）への電力供給が停止される省電力状態に移行する画像形成装置が知られている。そして、画像形成装置が省電力状態の場合に、ユーザによる復帰ボタンの押下などの復帰要因が検知されると、プリント部やスキャナ部に電力が供給される。
【０００３】
しかしながら、復帰要因が検出された場合であっても、必ずしもプリント部等を使用するとは限らない。例えば、スキャンした原稿の画像データを画像形成装置のメモリに格納する場合には、プリンタ部に電力を供給する必要がない。つまり、復帰要因が検出された場合に、全てのデバイスに電力を供給すると、必要のないデバイスにまで電力が供給されてしまう。
【０００４】
そこで、使用される機能を実行するデバイスに電力を供給し、使用されない機能を実行するデバイスには電力が供給されないように制御する技術が提案されている（特許文献１参照）。
【０００５】
特許文献１に開示される画像形成装置では、省電力状態を解除する要因に応じて、どのデバイスに電力を供給するかを判断する。具体的には、特許文献１では、外部機器からの印刷要求信号を受信した場合には、プリントを行うためにプリント部に電力を供給するがスキャナ部には電力を供給しない。また、スキャナ部に原稿が置かれたことがセンサによって検知された場合には、スキャナ部に電力が供給されるがプリント部には電力が供給されない。
【先行技術文献】
【特許文献】
【０００６】
【特許文献１】特開２００２−３５９７０３号公報
【発明の概要】
【発明が解決しようとする課題】
【０００７】
上記した引用文献１では、プリンタ部等の使用が確定しない場合には、プリンタ部等へは電力が供給されない。具体的には、操作部に設けられる復帰ボタンが操作された場合には、プリントやスキャンの機能を使用するか確定していないので、プリント部等へは電力が供給されない。その後、プリントやスキャンの機能を使用することが確定したときに、当該機能を実行するために必要なデバイスに電力が供給される（特許文献１の段落００３８）。すなわち、特許文献１では、プリントやスキャンの機能の使用が確定されるまでは、プリンタ部等には電力が供給されない。このため、ユーザは、プリンタ部やスキャナ部等への電力が安定されるまでの時間、プリンタ部やスキャナ部をリセットする時間、前記プリンタ部やスキャナ部の準備動作（駆動系（モータ類）の駆動）を行う時間などを、待たなくてはならない。
【０００８】
一方、プリントやスキャンの機能を使用するか確定していない状態で、プリンタ部等の準備動作を実行すると、当該プリンタ部等が使用されなかった場合に、当該準備動作に伴う電力が無駄に消費されてしまう。さらに、プリンタ部等が使用されなかった場合に、デバイスの準備動作に伴う騒音が発生してしまうという不都合がある。
【０００９】
そこで、本発明は、画像形成装置が省電力状態から復帰する場合にプリンタ部等の準備動作によって無駄に電力が消費されることおよび騒音が発生することを防止することを目的とする。さらに、本発明では、プリンタ部等の使用が確定する前に、前記プリンタ部等に電力を供給しておくことによって、プリンタ部等の使用が確定したときに、プリンタ部等の機能が使用可能になるまでの時間を短縮することを目的とする。
【課題を解決するための手段】
【００１０】
本発明の画像形成装置は、画像データに基づいて用紙に画像を形成する画像形成手段と、前記画像形成手段の駆動を制御する制御手段と、前記画像形成手段および前記制御手段への電力供給が停止される省電力状態から前記画像形成手段および前記制御手段へ電力が供給されるスタンバイ状態に移行させる要因が検出された場合、前記画像形成手段および前記制御手段に電力を供給する電力供給手段と、を備え、前記省電力状態のときに前記要因として第１種類の要因が検知された場合、前記制御手段および前記画像形成手段に前記電力供給手段から電力が供給されるが、前記制御手段は、前記画像形成手段の準備動作を制限し、用紙に画像を形成する機能を実行させる指示を受け付けた場合に、前記制御手段は、前記画像形成手段の準備動作を実行する。
【発明の効果】
【００１１】
本発明の画像形成装置によれば、画像形成装置が省電力状態から復帰する場合にプリンタ部等の準備動作によって無駄に電力が消費されることおよび騒音が発生することを防止することができる。
【００１２】
また、本発明の画像形成装置によれば、プリンタ部等の使用が確定する前に、前記プリンタ部等に電力を供給しておくことによって、プリンタ部等の使用が確定したときに、プリンタ部等の機能が使用可能になるまでの時間を短縮することができる。
【図面の簡単な説明】
【００１３】
【図１】第１実施形態の画像形成装置の構造を示した図である。
【図２】画像形成装置の表示部の詳細を示した図である。
【図３】画像形成装置のコントローラのブロック図である。
【図４】画像形成装置の電源回路図である。
【図５】画像形成装置の電力状態遷移図である。
【図６】各電力状態における各デバイスの電力供給状態を示す表である。
【図７】電源オフ状態の画像形成装置の状態を示した図である。
【図８】第２スリープ状態の画像形成装置の状態を示した図である。
【図９】第１スリープ状態の画像形成装置の状態を示した図である。
【図１０】スタンバイ状態（プリンタ部およびスキャナ部：通常モード）の画像形成装置の状態を示した図である。
【図１１】調整状態の画像形成装置の状態を示した図である。
【図１２】画像形成装置が第２スリープ状態から復帰する処理を示したフローチャートである。
【図１３】代理応答できないパケットを受信した場合に電源制御部が出力する信号を示したシーケンス図である。
【図１４】ジョブを受信した場合に電源制御部が出力する信号を示したシーケンス図である。
【図１５】人体検知センサが人を検知した場合または操作部のボタンが押下された場合に電源制御部が出力する信号を示したシーケンス図である。
【図１６】タイマが所定時間をカウントした場合に電源制御部が出力する信号を示したシーケンス図である。
【図１７】原稿検知センサが原稿を検知した場合に電源制御部が出力する信号を示したシーケンス図である。
【図１８】手差しトレイに用紙がセットされた場合に電源制御部が出力する信号を示したシーケンス図である。
【図１９】（ａ）プリンタ部の復帰動作を示すフローチャートであり、（ｂ）スキャナ部の復帰動作を示すフローチャートである。
【図２０】表示部に表示される各種の機能ボタンが選択されたときの画像形成装置の動作を示したフローチャートである。
【発明を実施するための形態】
【００１４】
以下、本発明を実施するための形態について図面を用いて説明する。
【００１５】
＜画像形成装置の全体構成＞
図１は、本発明の第１実施形態の画像形成装置の構造を示した図である。
【００１６】
図１に示すように、画像形成装置１０は、画像入力デバイスであるスキャナ部１３と、画像出力デバイスであるプリンタ部１４と、を備えている。
【００１７】
スキャナ部１３は、原稿上に形成された画像を読み取って画像データを取得するデバイスである。原稿上に形成された画像に照射された光の反射光をＣＣＤに入力することによって、当該画像の情報を電気信号に変換する。この電気信号は、Ｒ、Ｇ、Ｂ各色からなる輝度信号に変換され、後述するコントローラ１１に対して出力される。
【００１８】
スキャナ部１３のトレイ１２５０にセットされた原稿は、原稿フィーダ１２６０によって、１枚ずつ、プラテンガラス１２１１上の光学ユニット１２１３の読取位置に給送される。そして、前記光学ユニット１２１３による読み取られた原稿は、排出トレイ１２１９に排出される。光学ユニット１２１３のランプ１２１２から照射されて原稿で反射した光は、ミラー１２１４、１２１５、１２１６、及びレンズ１２１７を介して、ＣＣＤイメージセンサ１２１８に入力される。なお、原稿の読み取り方法は、原稿フィーダ１２６０による自動送り方式ではなく、プラテンガラス１２１１上に載置された原稿に対して、光学ユニット１２１３が搭載されたキャリッジを走査する方法であってもよい。なお、第１実施形態では、モノクロ印刷が可能な画像形成装置１０について説明するが、当該画像形成装置１０はカラー印刷が可能であっても良い。
【００１９】
プリンタ部１４は、入力された画像データを用いて用紙に画像を形成するデバイスである。なお、本実施形態のプリンタ部１４の画像形成方式は、感光体ドラムや感光体ベルトを用いた電子写真方式であるが、本発明はこれに限定されない。例えば、プリンタ部１４は、微少ノズルアレイからインクを吐出して用紙上に印字するインクジェット方式であっても良い。
【００２０】
また、画像形成装置１０は、プリンタ部１４によって画像が形成される用紙を収納する複数の用紙カセット１３１１、１３１２、１３１３、１３１４および手差しトレイ１３１５を有している。プリンタ部１４のレーザドライバ１３２１は、レーザ発光部１３２２を駆動する。レーザドライバ１３２１は、コントローラ１１から出力された画像データに応じたレーザ光を、レーザ発光部１３２２に発光させる。レーザ光は、感光ドラム１３２３に照射され、感光ドラム１３２３には、レーザ光に応じた潜像が形成される。この感光ドラム１３２３の潜像の部分には現像器１３２４によって現像剤が付着される。転写部１３２５は、感光ドラム１３２３に付着された現像剤を、搬送路１３３１を通過した記録紙に転写する。現像剤の乗った記録紙は搬送ベルト１３２６によって、定着器１３２７に搬送される。定着器１３２７は、熱と圧力により現像剤を記像紙に定着させる。定着器１３２７を通過した記録紙は、搬送路１３３５、搬送路１３３４を通過して、排紙トレイ１３２８に排出される。あるいは、印字面を反転して排紙トレイ１３２８に排出する場合には、記録は、搬送路１３３６、搬送路１３３８まで導かれた後、搬送路１３３７、搬送路１３３４を通過する。
【００２１】
また、両面印刷を行う場合、記録紙は、定着器１３２７から搬送路１３３６に導かれて、フラッパ１３２９によって、搬送路１３３３に導かれる。その後、記録紙を逆方向に搬送し、フラッパ１３２９によって、搬送路１３３８、再給紙搬送路１３３２へ導かれる。再給紙搬送路１３３２へ導かれた記録紙は、搬送路１３３１を通り、転写部１３２５へ給紙される。
【００２２】
＜操作部の詳細＞
図２は、操作部の詳細を示した図である。画像形成装置１０は、操作部１２を有している。図２に示すように、操作部１２は、ユーザによって操作される各種ボタン１２１と、画像を表示する表示部１２２と、を有している。表示部１２２の表面には、タッチパネルが設けられる。この表示部１２２には、画像形成装置１０のステータスを表示するステータス画面、コピー機能やファックス機能を選択するための選択画面、選択画面で選択された機能を実行するために必要な情報を入力するための設定画面などが表示される。この図２の表示部には、上記した選択画面が表示されている。ボタン１２１は、印刷部数などを入力するためのボタン１２１ａ、コピーやＦＡＸ送信などを開始するためのスタートボタン１２１ｂ、および画像形成装置１０を省電力状態（後述する第１スリープ状態）に移行させるための節電ボタン１２１ｃを有している。
【００２３】
画像形成装置１０を起動したとき、表示部１２２には、選択画面が表示される。選択画面には、コピー機能を実行するためのコピーボタン１２２ａ、スキャン機能を実行するためのスキャンボタン１２２ｂ、ＦＡＸ機能を実行するためのＦＡＸボタン１２２ｃ、およびプリント機能を実行するためのプリントボタン１２２ｄが配置される。
【００２４】
＜画像形成装置１０のコントローラ１１の説明＞
図３は、画像形成装置の全体を制御するコントローラを示したブロック図である。図３を参照して、画像形成装置１０の全体の動作を制御するコントローラ１１の詳細について説明する。
【００２５】
図３に示すように、コントローラ１１は、上記したスキャナ部１３、プリンタ部１４および操作部１２と電気的に接続されている。このコントローラ１１は、ＣＰＵ３０１、ＲＡＭ３０２、ＲＯＭ３０３、操作部Ｉ／Ｆ３０５、ＬＡＮコントローラ３０６、人体検知センサ３１０、用紙検知センサ３１２および電源制御部４０１を備えている。そして、ＣＰＵ３０１、ＲＡＭ３０２、ＲＯＭ３０３、操作部Ｉ／Ｆ３０５、ＬＡＮコントローラ３０６、人体検知センサ３１０、用紙検知センサ３１２および電源制御部４０１は、システムバス３０７に接続されている。また、コントローラ１１は、ＨＤＤ３０４、画像処理部３０９、スキャナＩ／Ｆ３１１およびプリンタＩ／Ｆ３１３を備えている。ＨＤＤ３０４、画像処理部３０９、スキャナＩ／Ｆ３１１およびプリンタＩ／Ｆ３１３は、画像バス３０８に接続されている。
【００２６】
ＣＰＵ３０１は、ＲＯＭ３０３に記憶された制御プログラム等に基づいて接続中の各種デバイスとのアクセスを統括的に制御すると共に、コントローラ１１で実行される各種処理についても統括的に制御する。
【００２７】
ＲＡＭ３０２は、ＣＰＵ３０１が動作するためのシステムワークメモリである。このＲＡＭ３０２は、画像データを一時記憶するためのメモリでもある。ＲＡＭ３０２は、電源がオフの場合でも記憶した内容を保持することが可能なＳＲＡＭ、及び電源がオフの場合には記憶した内容が消去されるＤＲＡＭを有している。ＲＯＭ３０３には、装置のブートプログラムなどが格納されている。ＨＤＤ３０４は、ハードディスクドライブであり、画像形成装置１０を制御するプログラムや画像データを格納する。
【００２８】
操作部Ｉ／Ｆ３０５は、システムバス３０７と操作部１２と接続するためのインターフェース部である。この操作部Ｉ／Ｆ３０５は、操作部１２に表示するための画像データをシステムバス３０７から受け取り操作部１２に出力すると共に、操作部１２から入力された情報をシステムバス３０７へと出力する。
【００２９】
ＬＡＮコントローラ３０６は、画像形成装置１０と、ネットワーク６０に接続される外部装置２０との間の情報の入出力を制御する。
【００３０】
人体検知センサ３１０は、赤外線を受光する赤外線センサがマトリクス状に配列された赤外線センサアレイである。人体検知センサ３１０が人などから放射される赤外線を受光することによって、画像形成装置１０に人が接近したことを検知する。なお、ここでは、本実施形態では、人体検知センサ３１０が人を検知する例について説明するが、赤外線を放射する物体であれば、この人体検知センサ３１０で検知することができる。なお、人体検知センサは、上記した赤外線センサに限定されない。物体が画像形成装置１０に接近したことを検知できるセンサであれば、赤外線センサ以外のデバイス（光を検知する光センサ、物理力で変形するひずみセンサ、磁気を検知する磁気センサ、温度を検知する温度センサなど）であっても良い。
【００３１】
用紙検知センサ３１２は、手差しトレイ１３１５に用紙がセットされたことを検知する。
【００３２】
電源制御部４０１は、画像形成装置１０の各部への電力供給を制御する。電源制御部４０１の詳細についは後述する。
【００３３】
画像バス３０８は、画像データをやり取りするための伝送路であり、ＰＣＩバスやＩＥＥＥ１３９４等のバスで構成されている。
【００３４】
画像処理部３０９は、画像処理を行うためのものであり、ＲＡＭ３０２に記憶された画像データを読み出し、ＪＰＥＧ、ＪＢＩＧなどの拡大または縮小および、色調整などの画像処理を行う。
【００３５】
スキャナ部１３は、スキャナ制御部３３１とスキャナ駆動部３３２とを有している。スキャナ駆動部３３２は、トレイ１２５０にセットされた原稿をスキャナ部１３の読取位置まで搬送するための紙搬送用のモータなどを含み、物理的に駆動するデバイスである。スキャナ制御部３３１は、スキャナ駆動部３３２の動作を制御する。スキャナ制御部３３１は、スキャナ処理を行う際にユーザによって設定された設定情報をＣＰＵ３０１との通信により受信し、当該設定情報に基づいてスキャナ駆動部３３２の動作を制御する。
【００３６】
プリンタ部１４は、プリンタ制御部３４１とプリンタ駆動部３４２とを有している。プリンタ駆動部３４２は、感光ドラム１３２３を回転させるモータ、定着器１３２７を回転させるモータ、および紙搬送モータなどを含み、物理的に駆動するデバイスである。プリンタ制御部３４１は、プリンタ駆動部３４２の動作を制御する。プリンタ制御部３４１は、プリント処理を行う際にユーザによって設定された設定情報をＣＰＵ３０１との通信により受信し、当該設定情報に基づいてプリンタ駆動部３４２の動作を制御する。
【００３７】
＜画像形成装置１０の電源ユニット４０の説明＞
図４は、画像形成装置１０の電源回路図である。上記した画像形成装置１０の各部には、電源ユニット４０によって生成された電力が供給される。この電源ユニット４０は、第１電源供給部４１０と、第２電源供給部４１１と、第３電源供給部４１２と、を有している。
【００３８】
第１電源供給部４１０は、プラグＰを介して供給される交流電力を直流電力（例えば、５．１Ｖ（第１の出力電力））に変換する。そして、当該直流電力が、第１電源系統のデバイス（電源制御部４０１、ＣＰＵ３０１、ＲＡＭ３０２、ＲＯＭ３０３、ＨＤＤ３０４、ＬＡＮコントローラ３０６、人体検知センサ３１０、用紙検知センサ３１２および操作部１２のボタン１２１）に供給される。本実施形態では、ＣＰＵ３０１は、第２電源供給部４１１や第３電源供給部４１２からの電力供給を受けずに、第１電源供給部４１０のみから供給される電力で動作する。つまり、ＣＰＵ３０１の電源は、第２電源供給部４１１および第３電源供給部４１２から独立している。第２電源供給部４１１は、プラグＰを介して供給される交流電力を直流電力（例えば、１２Ｖ（第２の出力電力））に変換する。この直流電力は、第２電源系統のデバイス（操作部１２の表示部１２２、画像処理部３０９、プリンタ部１４のプリンタ制御部３４１、およびスキャナ部１３のスキャナ制御部３３１）に供給される。また、第３電源供給部４１２は、プラグＰを介して供給される交流電力を直流電力（例えば、２４Ｖ）に変換して、第３電源系統のデバイス（プリンタ駆動部３４２、およびスキャナ駆動部３３２）に電力を供給する。
【００３９】
また、第１電源供給部４１０と第１電源系統のデバイスとの間には、ユーザの操作によってＯＮ状態またはＯＦＦ状態となる電源スイッチ４１６が設けられる。電源制御部４０１には、電源スイッチ４１６の状態（ＯＮ状態もしくはＯＦＦ状態）を示す信号Ｄが入力されている。また、電源ユニット４０は、電源スイッチ４１６と並列に配置されるＦＥＴ（電界効果トランジスタ）からなるスイッチ４１７を有する。このスイッチ４１７は、電源制御部４０１から出力される制御信号Ｅによって、ＯＮ状態からＯＦＦ状態、またはＯＦＦ状態からＯＮ状態になる。なお、電源スイッチ４１６には、ソレノイド４１６ａが設けられている。電源制御部４０１から出力される制御信号Ｋに応じて、当該ソレノイドに電圧が印加されて電源スイッチ４１６がＯＦＦ状態になる。画像形成装置１０に設けられるオートシャットダウン機能、リモートシャットダウン機能が実行される場合に、電源制御部４０１が制御信号Ｋを出力することによってソレノイドを駆動し、電源スイッチ４１６をオフにする。オートシャットダウン機能は、後述する第２スリープ状態でユーザの操作が無い状態で所定時間が経過した場合に、画像形成装置１０をシャットダウンする機能である。また、リモートシャットダウン機能は、外部装置２０から送信されるシャットダウン指示に応じて、画像形成装置１０がシャットダウンする機能である。
【００４０】
プラグＰと第２電源供給部４１１との間には、リレースイッチ４１８が設けられる。また、プラグＰと第３電源供給部４１２との間には、リレースイッチ４１９が設けられる。リレースイッチ４１８および４１９は、電源制御部４０１から出力される制御信号Ｆによって、ＯＮ状態からＯＦＦ状態、またはＯＦＦ状態からＯＮ状態になる。
【００４１】
電源スイッチ４１６とＣＰＵ３０１、ＲＯＭ３０３およびＨＤＤ３０４との間には、スイッチ４２０が設けられる。スイッチ４２０は、電源制御部４０１から出力される制御信号Ｈによって、ＯＮ状態からＯＦＦ状態、またはＯＦＦ状態からＯＮ状態になる。
【００４２】
第２電源供給部４１１とプリンタ制御部３４１との間には、スイッチ４２１ａが設けられている。また、第３電源供給部４１２とプリンタ駆動部３４２との間には、スイッチ４２１ｂが設けられている。これらのスイッチ４２１ａおよびスイッチ４２１ｂは、電源制御部４０１から出力される制御信号Ｊによって、ＯＮ状態からＯＦＦ状態、またはＯＦＦ状態からＯＮ状態になる。
【００４３】
第２電源供給部４１１とスキャナ制御部３３１との間には、スイッチ４２２ａが設けられている。また、第３電源供給部４１２とスキャナ駆動部３３２との間には、スイッチ４２２ｂが設けられている。これらのスイッチ４２２ａおよびスイッチ４２２ｂは、電源制御部４０１から出力される制御信号Ｋによって、ＯＮ状態からＯＦＦ状態、またはＯＦＦ状態からＯＮ状態になる。
【００４４】
＜画像形成装置１０の電力状態について＞
図５は、画像形成装置１０の電力状態の遷移図である。
【００４５】
画像形成装置１０は、図５に示すように、電源オフ状態、第２スリープ状態、第１スリープ状態、スタンバイ状態および調整状態のいずれかの状態となる。なお、画像形成装置１０は、上記した状態以外の状態になっても良い。
【００４６】
画像形成装置１０は、電源スイッチ４１６がユーザによってＯＦＦ状態になった場合に、電源オフ状態に移行する。
【００４７】
電源オフ状態で、ユーザによって電源スイッチ４１６がＯＮ状態にされると、画像形成装置１０は、スタンバイ状態に移行する。
【００４８】
そして、スタンバイ状態で節電ボタン１２１ｃが押下された場合には、画像形成装置１０は第２スリープ状態に移行する。また、スタンバイ状態で操作部１２（タッチパネルやボタン１２１）が操作されずに所定時間が経過した場合には、画像形成装置１０は第２スリープ状態に移行する。
【００４９】
そして、本実施形態では、第２スリープ状態で、ＰＤＬ（ｐａｇｅ  ｄｅｓｃｒｉｐｔｉｏｎ  ｌａｎｇｕａｇｅ）ジョブ（印刷要求）を受信した場合、または節電ボタン１２１ｃが押下された場合、画像形成装置１０はスタンバイ状態に移行する。また、第２スリープ状態で、人体検知センサ３１０、用紙検知センサ３１２またはスキャナ部１３に設けられる原稿検知センサ３３３（図４参照）が検知状態になった場合、画像形成装置１０はスタンバイ状態に移行する。
【００５０】
この第２スリープ状態では、ＬＡＮコントローラ３０６が、外部装置２０から送信される特定のパケットに対して、コントローラ１１のＣＰＵ３０１の代わりに、応答を返す。当該ＬＡＮコントローラ３０６の機能を代理応答と呼ぶ。ＬＡＮコントローラ３０６が代理応答を行うことによって、第２スリープ状態のままで、外部装置から送信される特定のパケットに対して応答することができる。
【００５１】
そして、第２スリープ状態で、ＬＡＮコントローラ３０６が代理応答できないパケット（ＰＤＬジョブを除く）を外部装置２０から受信した場合には、画像形成装置１０は第２スリープ状態から第１スリープ状態に移行する。
【００５２】
第１スリープ状態に移行した画像形成装置１０は、当該代理応答できないパケットを処理した後、前述した所定時間を待たずに、第２スリープ状態に移行する。
【００５３】
また、第２スリープ状態でプリンタ制御部３４１に設けられるタイマ３５０（図４参照）が所定時間をカウントした場合、画像形成装置１０は調整状態に移行する。そして、画像形成装置１０は、調整状態で特定動作（感光ドラム１３２３の回転など）を実行すると、再度第２スリープ状態に移行する。
【００５４】
図６は、画像形成装置１０の各電力状態におけるデバイスの給電状態をまとめた表である。図７〜図１１は、各電力状態における画像形成装置の電力状態を示した図である。図６〜図１１を参照して、画像形成装置１０の電力状態について説明する。
【００５５】
（１）電源オフ状態
電源オフ状態は、図６および図７に示すように、画像形成装置１０の各部に電力が供給されていない状態である。電源オフ状態では、図７に示すように、各スイッチ４１６〜４２２がＯＦＦ状態になっている。なお、電源オフ状態は、ハイバネーション状態であっても良い。ハイバネーション状態とは、コンピュータの電源を切る直前の状態を不揮発性のメモリに保存して、次に電源を入れたときに電源を切る直前の状態から作業を再開することが可能な状態である。このハイバネーション状態では、電源オフ状態と同様に各スイッチ４１６〜４２２がＯＦＦ状態になっている。ハイバネーション状態では、ハイバネーション状態に移行する前の画像形成装置１０の状態がＨＤＤ３０４に記憶される。そして、画像形成装置１０は、ハイバネーション状態から復帰する場合に、ＨＤＤ３０４に記憶された情報を用いて高速復帰することができる。上記した電源オフ状態は、画像形成装置１０の各部への電力供給が停止される状態として説明したが、この電源オフ状態は画像形成装置１０の全ての部分への電力供給を停止する状態だけではない。例えば、上記した電源オフ状態は、ＲＡＭ３０２への電力供給が維持されるサスペンド状態を含む。サスペンド状態とは、コンピュータの電源を切る直前の状態を揮発性のメモリ（例えば、ＲＡＭ３０２）に保存して、次に電源を入れたときに電源を切る直前の状態から作業を再開することが可能な状態である。なお、タイマ３５０は電池で駆動するように構成されており、電源オフ状態であってもタイマ３５０は駆動する。
【００５６】
（２）第２スリープ状態
第２スリープ状態では、図６および図８に示すように、電源制御部４０１、ＲＡＭ３０２、ＬＡＮコントローラ３０６、人体検知センサ３１０、用紙検知センサ３１２、原稿検知センサ３３３および操作部１２のボタン１２１に電力が供給される。なお、第２スリープ状態で電力が供給される上記したデバイスは一例である。一方、第２スリープ状態では、ＣＰＵ３０１、ＲＯＭ３０３、ＨＤＤ３０４、画像処理部３０９、スキャナ部１３およびプリンタ部１４に電力が供給されない。第２スリープ状態では、第１電源供給部４１０から第１電源系統のデバイス（電源制御部４０１、ＲＡＭ３０２、ＬＡＮコントローラ３０６、人体検知センサ３１０、用紙検知センサ３１２、原稿検知センサ３３３およびボタン１２１）に電力が供給される。第２スリープ状態では、図８に示すように、スイッチ４１６および４１７がＯＮ状態となり、且つ、その他のスイッチ４１８〜４２２がＯＦＦ状態となる。この第２スリープ状態では、ユーザによる操作部１２のボタン１２１の操作を受け付けることができる。また、第２スリープ状態では、ＬＡＮコントローラ３０６が外部装置２０から送信されるパケットを受信することができる。また、第２スリープ状態では、人体検知センサ３１０が、画像形成装置１０に人が接近したことを検知することができる。また、第２スリープ状態では、用紙検知センサ３１２が手差しトレイに用紙がセットされたことを検知することができる。また、第２スリープ状態では、原稿検知センサ３３３が、トレイ１２５０に原稿がセットされたことを検知することができる。
【００５７】
（３）第１スリープ状態
第１スリープ状態は、ネットワーク６０からの問い合わせなどに対してコントローラ１１の全てを起動させずに応答するための状態である。第１スリープ状態では、第１電源供給部４１０から少なくともＣＰＵ３０１およびＨＤＤ３０４に電力が供給される。これにより、ＣＰＵ３０１がＨＤＤ３０４に格納される情報を用いて、ＬＡＮコントローラ３０６が受信した代理応答できないパケットに対して応答を返すことができる。第１スリープ状態では、図６および図９に示すように、電源制御部４０１、ＲＡＭ３０２、ＬＡＮコントローラ３０６、ボタン１２１、ＣＰＵ３０１、ＲＯＭ３０３に電力が供給される。さらに、第１スリープ状態では、人体検知センサ３１０、用紙検知センサ３１２、原稿検知センサ３３３およびＨＤＤ３０４にも電力が供給される。第１スリープ状態では、第２電源系統のデバイスおよび第３電源系統のデバイスに電力が供給されていない。第１スリープ状態では、図９に示すように、スイッチ４１６、４１７、および４２０がＯＮ状態となり、且つ、スイッチ４１８、４１９、４２１および４２２がＯＦＦ状態となる。なお、第１スリープ状態で電力が供給される上記したデバイスは一例である。
【００５８】
（４）調整状態
調整状態は、感光ドラム１３２３とその感光ドラム１３２３上のトナーを掻き取るブレードとが長時間同じ位置で接触するのを防止するために移行する状態である。画像形成装置１０がこの調整状態に移行すると、感光ドラム１３２３が回転して、感光ドラム１３２３とブレードとの相対位置が変化する。この調整状態では、図６および図１０に示すように、プリンタ制御部３４１およびプリンタ駆動部３４２に電力が供給されているが、ＣＰＵ３０１やＨＤＤ３０４には電力が供給されていない。調整状態では、図１０に示すように、スイッチ４１６、４１７、４１８、４１９および４２１がＯＮ状態となり、且つ、スイッチ４２０および４２２がＯＦＦ状態となる。
【００５９】
（５）スタンバイ状態
スタンバイ状態は、図６および図１１に示すように、コントローラ１１、操作部１２、プリンタ部１４およびスキャナ部１３の各部に電力が供給される状態である。具体的には、スタンバイ状態では、図１１の各スイッチ４１６〜４２２がＯＮ状態となる。
【００６０】
ここで、電源制御部４０１の詳細について説明する。
【００６１】
電源制御部４０１は、ＣＰＬＤ（Ｃｏｍｐｌｅｘ  Ｐｒｏｇｒａｍｍａｂｌｅ  Ｌｏｇｉｃ  Ｄｅｖｉｃｅ）である。この電源制御部４０１は、画像形成装置１０が上記した各電力状態に移行するのを制御する。この電源制御部４０１は、第２スリープ状態で電力が供給されており、第２スリープ状態からの複数の種類の復帰要因を検知する。電源制御部４０１は、図４に示すように、復帰要因として、ＬＡＮコントローラ３０６から信号ＮＷ−１および信号ＮＷ−２を受信する。信号ＮＷ−１は、ＬＡＮコントローラ３０６がＰＤＬジョブを受信したときに電源制御部４０１に出力される。また、信号ＮＷ−２は、ＬＡＮコントローラ３０６が代理応答できないパケットを受信したときに電源制御部４０１に出力される。また、電源制御部４０１は、復帰要因として、操作部１２のボタン１２１から信号Ｐを受信する。信号Ｐは、ボタン１２１がユーザにより操作されたときに電源制御部４０１に出力される。また、電源制御部４０１は、復帰要因として、人体検知センサ３１０から信号Ｑを受信する。信号Ｑは、人体検知センサ３１０が画像形成装置１０に接近する人を検知したときに電源制御部４０１に出力される。また、電源制御部４０１は、復帰要因として、タイマ３５０から信号Ｒを受信する。信号Ｒは、設定された時間がタイマ３５０によってカウントされたときに電源制御部４０１に出力される。上記した時間は、画像形成装置１０が第２スリープ状態に移行する前に、ＣＰＵ３０１がタイマ３５０に設定する。また、電源制御部４０１は、復帰要因として、原稿検知センサ３３３から信号Ｖを受信する。信号Ｖは、原稿検知センサ３３３が原稿を検知したときに電源制御部４０１に出力される。また、電源制御部４０１は、復帰要因として、手差しトレイに設けられる用紙検知センサ３１２から信号Ｗを受信する。信号Ｗは、手差しトレイに用紙がセットされた場合に電源制御部４０１に出力される。
【００６２】
電源制御部４０１は、上記した復帰要因（信号ＮＷ−１、ＮＷ−２、Ｐ、Ｑ、Ｒ、Ｖ、Ｗ）の論理に基づいて、各スイッチ４１７〜４２２の状態をＯＮ状態またはＯＦＦ状態にする。
【００６３】
信号出力手段としての電源制御部４０１は、信号ＮＷ−１が入力される場合、制御信号Ｅ、Ｆ、Ｋ、Ｊ、Ｈを出力する（信号レベルを“Ｈｉ”にする）。これにより、画像形成装置１０がスタンバイ状態に移行する。なお、信号ＮＷ−１が入力される場合、電源制御部４０１は、制御信号Ｓ１およびＴを出力しない（信号レベルを“Ｌｏｗ”にする）。
【００６４】
また、電源制御部４０１に信号Ｐ、信号Ｑ、信号Ｖまたは信号Ｗが入力される場合も同様に、電源制御部４０１は、制御信号Ｅ、Ｆ、Ｋ、Ｊ、Ｈを出力し（信号レベルを“Ｈｉ”にする）、画像形成装置１０がスタンバイ状態に移行する。なお、信号ＰまたはＱが入力される場合、電源制御部４０１は、制御信号Ｓ１およびＴを出力する（信号レベルを“Ｈｉ”にする）。また、信号Ｖが入力される場合、電源制御部４０１は、制御信号Ｓ１を出力するが（信号レベルを“Ｈｉ”にする）、制御信号Ｔを出力しない（信号レベルを“Ｌｏｗ”にする）。また、信号Ｗが入力される場合、電源制御部４０１は、制御信号Ｔを出力するが（信号レベルを“Ｈｉ”にする）、制御信号Ｓ１を出力しない（信号レベルを“Ｌｏｗ”にする）。
【００６５】
また、電源制御部４０１に信号ＮＷ−２が入力される場合、制御信号Ｅ、Ｈを出力する（信号レベルを“Ｈｉ”にする）。これにより、画像形成装置１０が第１スリープ状態に移行する。
【００６６】
また、電源制御部４０１に信号Ｒが入力される場合、制御信号ＦおよびＪを出力する（信号レベルを“Ｈｉ”にする）。これにより、画像形成装置１０が調整状態に移行する。なお、信号Ｒが入力される場合、電源制御部４０１は、制御信号Ｓ２を出力する。
【００６７】
また、電源制御部４０１には、電源スイッチ４１６の状態を示す信号Ｄが入力される。電源スイッチ４１６がユーザの操作によってＯＦＦ状態になると、電源制御部４０１に信号Ｄが入力される。信号Ｄが入力される電源制御部４０１は、制御信号Ｅ、Ｆ、Ｈ、Ｊ、Ｋを出力する（信号レベルを“Ｈｉ”にする）。これにより、画像形成装置１０が電源オフ状態に移行する。
【００６８】
＜第２スリープ状態からの復帰処理＞
図１２は、画像形成装置が第２スリープ状態から復帰する処理を示したフローチャートである。図１３〜図１８は、電源制御部４０１に入力される信号および電源制御部４０１から出力される信号のシーケンス図である。次に、図１２〜図１８を参照して、画像形成装置１０が第２スリープ状態から復帰するときに電源制御部４０１が行う信号処理について説明する。
【００６９】
電源制御部４０１が復帰要因として信号ＮＷ−１、ＮＷ−２、Ｐ、Ｑ、Ｒ、Ｖ、Ｗのいずれかを検出する（Ｓ１００）。
【００７０】
（Ａ）代理応答できないパケットを受信した場合
図１２および図１３に示すように、ＬＡＮコントローラ３０６が代理応答できないパケットを受信した場合には、電源制御部４０１には、ＬＡＮコントローラ３０６から信号ＮＷ−２が入力される（信号ＮＷ−２が“Ｈｉ”レベルになる）。当該信号ＮＷ−２が“Ｈｉ”レベルになると、電源制御部４０１は、制御信号Ｈの信号レベルを“Ｈｉ”にする（Ｓ１１１）。これにより、スイッチ４２０がＯＮ状態になり、第１電源供給部４１０からＣＰＵ３０１、ＲＯＭ３０３およびＨＤＤ３０４に電力が供給される。その結果、画像形成装置１０は、第２スリープ状態から第１スリープ状態になる。
【００７１】
（Ｂ）ＰＤＬジョブを受信した場合
図１２および図１４に示すように、ＬＡＮコントローラ３０６がＰＤＬジョブを受信した場合、電源制御部４０１には、ＬＡＮコントローラ３０６から信号ＮＷ−１が入力される（信号ＮＷ−１の信号レベルが“Ｈｉ”になる）。当該信号ＮＷ−１が“Ｈｉ”レベルになると、電源制御部４０１は、制御信号Ｈの信号レベルを“Ｈｉ”にする（Ｓ１２１）。これにより、これにより、スイッチ４２０がＯＮ状態になり、第１電源供給部４１０からＣＰＵ３０１、ＲＯＭ３０３およびＨＤＤ３０４に電力が供給される。
【００７２】
次に、電源制御部４０１は、制御信号Ｆの信号レベルを“Ｈｉ”にする（Ｓ１２２）。これにより、第２電源供給部４２０および第３電源供給部４３０の電源が立ち上がる。第２電源供給部４２０および第３電源供給部４３０の電圧レベルが安定すると、電源制御部４０１は、制御信号ＪおよびＫの信号レベルを“Ｈｉ”にする（Ｓ１２３）。これにより、プリンタ部１４およびスキャナ部１３に電力が供給される。その結果、画像形成装置１０は、第２スリープ状態からスタンバイ状態になる。ここでは、ＰＤＬジョブを受信した場合にプリンタ部１４およびスキャナ部１３の両方に電力を供給する例について説明したが、本発明はこれに限定されない。例えば、ＰＤＬジョブを受信した場合に、プリンタ部１４には電力を供給するが、スキャナ部１３には電力を供給しなくても良い。
【００７３】
（Ｃ）ボタン１２１が押下された場合、人体検知センサ３１０が人を検知した場合
図１２および図１５に示すように、ボタン１２１が押下された場合、電源制御部４０１には、ボタン１２１から信号Ｐが入力される（信号Ｐの信号レベルが“Ｈｉ”になる）。また、人体検知センサ３１０が人などを検知した場合、電源制御部４０１には、人体検知センサ３１０から信号Ｑが入力される（信号Ｑの信号レベルが“Ｈｉ”になる）。当該信号ＰまたはＱが“Ｈｉ”レベルになると、制御信号Ｓ１およびＴの信号レベルを“Ｈｉ”にする（Ｓ１３０）。そして、電源制御部４０１は、制御信号Ｈの信号レベルを“Ｈｉ”にする（Ｓ１３１）。これにより、これにより、スイッチ４２０がＯＮ状態になり、第１電源供給部４１０からＣＰＵ３０１、ＲＯＭ３０３およびＨＤＤ３０４に電力が供給される。
【００７４】
次に、電源制御部４０１は、制御信号Ｆの信号レベルを“Ｈｉ”にする（Ｓ１３２）。これにより、第２電源供給部４２０および第３電源供給部４３０の電源が立ち上がる。第２電源供給部４２０および第３電源供給部４３０の電圧レベルが安定すると、電源制御部４０１は、制御信号ＪおよびＫの信号レベルを“Ｈｉ”にする（Ｓ１３３）。これにより、プリンタ部１４およびスキャナ部１３に電力が供給される。その結果、画像形成装置１０は、第２スリープ状態からスタンバイ状態になる。
【００７５】
（Ｄ）タイマ３５０が所定時間をカウントした場合
図１２および図１６に示すように、タイマ３５０が所定時間をカウントした場合、電源制御部４０１には、タイマ３５０から信号Ｒが入力される（信号Ｒの信号レベルが“Ｈｉ”になる）。当該信号Ｒが“Ｈｉ”レベルになると、制御信号Ｓ２の信号レベルを“Ｈｉ”にする（Ｓ１４０）。
【００７６】
次に、電源制御部４０１は、制御信号Ｆの信号レベルを“Ｈｉ”にする（Ｓ１４２）。これにより、第２電源供給部４２０および第３電源供給部４３０の電源が立ち上がる。第２電源供給部４２０および第３電源供給部４３０の電圧レベルが安定すると、電源制御部４０１は、制御信号Ｊの信号レベルを“Ｈｉ”にする（Ｓ１４３）。これにより、プリンタ部１４に電力が供給される。その結果、画像形成装置１０は、第２スリープ状態から調整状態になる。
【００７７】
（Ｅ）原稿検知センサ３３３が原稿を検知した場合
図１２および図１７に示すように、原稿検知センサ３３３が原稿を検知した場合、電源制御部４０１には、原稿検知センサ３３３から信号Ｖが入力される（信号Ｖの信号レベルが“Ｈｉ”になる）。当該信号Ｖが“Ｈｉ”レベルになると、制御信号Ｓ１の信号レベルを“Ｈｉ”にする（Ｓ１５０）。そして、電源制御部４０１は、制御信号Ｈの信号レベルを“Ｈｉ”にする（Ｓ１５１）。これにより、これにより、スイッチ４２０がＯＮ状態になり、第１電源供給部４１０からＣＰＵ３０１、ＲＯＭ３０３およびＨＤＤ３０４に電力が供給される。
【００７８】
次に、電源制御部４０１は、制御信号Ｆの信号レベルを“Ｈｉ”にする（Ｓ１５２）。これにより、第２電源供給部４２０および第３電源供給部４３０の電源が立ち上がる。第２電源供給部４２０および第３電源供給部４３０の電圧レベルが安定すると、電源制御部４０１は、制御信号ＪおよびＫの信号レベルを“Ｈｉ”にする（Ｓ１５３）。これにより、プリンタ部１４およびスキャナ部１３に電力が供給される。その結果、画像形成装置１０は、第２スリープ状態からスタンバイ状態になる。
【００７９】
（Ｆ）用紙検知センサ３１２が用紙を検知した場合
図１２および図１８に示すように、用紙検知センサ３１２が用紙を検知した場合、電源制御部４０１には、用紙検知センサ３１２から信号Ｗが入力される（信号Ｗの信号レベルが“Ｈｉ”になる）。当該信号Ｗが“Ｈｉ”レベルになると、制御信号Ｔの信号レベルを“Ｈｉ”にする（Ｓ１６０）。そして、電源制御部４０１は、制御信号Ｈの信号レベルを“Ｈｉ”にする（Ｓ１６１）。これにより、これにより、スイッチ４２０がＯＮ状態になり、第１電源供給部４１０からＣＰＵ３０１、ＲＯＭ３０３およびＨＤＤ３０４に電力が供給される。
【００８０】
次に、電源制御部４０１は、制御信号Ｆの信号レベルを“Ｈｉ”にする（Ｓ１６２）。これにより、第２電源供給部４２０および第３電源供給部４３０の電源が立ち上がる。第２電源供給部４２０および第３電源供給部４３０の電圧レベルが安定すると、電源制御部４０１は、制御信号ＪおよびＫの信号レベルを“Ｈｉ”にする（Ｓ１６３）。これにより、プリンタ部１４およびスキャナ部１３に電力が供給される。その結果、画像形成装置１０は、第２スリープ状態からスタンバイ状態になる。
【００８１】
＜プリンタ部の復帰処理＞
図１９（ａ）は、プリンタ部１４の復帰処理を示したフローチャートである。
【００８２】
次に、図１９（ａ）を参照して、プリンタ部１４の復帰処理について説明する。
【００８３】
まず、第２電源供給部４１１からプリンタ部１４のプリンタ制御部３４１に供給される電圧が安定すると（Ｓ１９１）、プリンタ制御部３４１がリセット解除を行う（Ｓ１９２）。リセットが解除されたプリンタ制御部３４１は、プリンタ制御部３４１に入力される信号の論理を確認する（Ｓ１９３）。
【００８４】
プリンタ制御部３４１に制御信号Ｓ１およびＳ２のいずれもが入力されない場合（制御信号Ｓ１およびＳ２の信号レベルが共に“Ｌｏｗ”レベルの場合）、プリンタ制御部３４１は、プリンタ駆動部３４２の準備動作を行う（Ｓ１９４）。この準備動作とは、プリンタ部１４がプリント可能な状態になるまでに実行される動作であって、感光ドラム１３２３の回転動作や定着器１３２７の回転動作を含む。この準備動作が完了すると、プリンタ部１４は、印刷可能な状態となる。
【００８５】
プリンタ制御部３４１に制御信号Ｓ２が入力される場合（制御信号Ｓ２の信号レベルが“Ｈｉ”レベルの場合）、プリンタ制御部３４１は、プリンタ駆動部３４２の調整動作を行う（Ｓ１９５）。感光ドラム１３２３と当該感光ドラム１３２３の表面のトナーを掻き取るブレードとが長時間接触することによって、感光ドラム１３２３の表面にブレードの痕が残ることがある。上記した調整動作とは、このブレードの痕が残らないように、感光ドラム１３２３とブレードとの間の相対位置を変化させる動作を言う。具体的には、プリンタ制御部３４１は、感光ドラム１３２３を間欠的に回転させる。
【００８６】
また、プリンタ制御部３４１に制御信号Ｓ１が入力される場合（制御信号Ｓ１の信号レベルが“Ｈｉ”レベルの場合）、プリンタ制御部３４１は、プリンタ駆動部３４２を駆動させない。
【００８７】
＜スキャナ部の復帰処理＞
図１９（ｂ）は、スキャナ部１３の復帰処理を示したフローチャートである。
【００８８】
次に、図１９（ｂ）を参照して、スキャナ部１３の復帰処理について説明する。
【００８９】
まず、第２電源供給部４１１からスキャナ部１３のスキャナ制御部３３１に供給される電圧が安定すると（Ｓ１９６）、スキャナ制御部３３１がリセット解除を行う（Ｓ１９７）。リセットが解除されたスキャナ制御部３３１は、スキャナ制御部３３１に入力される信号の論理を確認する（Ｓ１９８）。
【００９０】
スキャナ制御部３３１に制御信号Ｔが入力されない場合（制御信号Ｔの信号レベルが“Ｌｏｗ”レベルの場合）、スキャナ制御部３３１は、スキャナ駆動部３３２の準備動作を行う（Ｓ１９９）。この準備動作とは、スキャナ部１３がスキャン可能な状態になるまでに実行される準備動作であって、光学ユニット１２１３のホーミング動作やランプ１２１２の点灯動作を含む。この準備動作が完了すると、スキャナ部１３は、原稿の読み取りが可能な状態となる。
【００９１】
また、スキャナ制御部３３１に制御信号Ｔが入力される場合（制御信号Ｔの信号レベルが“Ｈｉ”レベルの場合）、スキャナ制御部３３１は、スキャナ駆動部３３２を駆動させない。
【００９２】
＜プリント機能またはスキャン機能の使用が確定したときに動作フロー＞
図２０は、表示部に表示される選択画面においてユーザによって機能ボタンが選択されたときの電源制御部４０１の動作を示したフローチャートである。画像形成装置１０がスタンバイ状態になると、操作部１２の表示部１２２に選択画面（図２参照）が表示される。ここでは、制御信号Ｓ１およびＴの信号レベルが“Ｈｉ”の状態でスタンバイ状態に移行した画像形成装置１０の動作について説明する。
【００９３】
表示部１２２のコピーボタン１２２ａがユーザによって押下されると（Ｓ２１０）、電源制御部４０１は、制御信号Ｓ１およびＴの信号レベルを“Ｌｏｗ”にする（Ｓ２１１）。これにより、プリンタ制御部３４１は、プリンタ駆動部３４２の準備動作を行う。その結果、プリンタ部１４が印刷可能な状態になる。また、スキャナ制御部３３１は、スキャナ駆動部３３２の準備動作を行う。その結果、スキャナ部１３が原稿を読み取り可能な状態になる。これにより、ユーザは、スキャナ機能およびプリント機能の両方を使って、原稿のコピーを行うことができる。
【００９４】
次に、表示部１２２のスキャンボタン１２２ｂがユーザによって押下されると（Ｓ２２０）、電源制御部４０１は、制御信号Ｔの信号レベルを“Ｌｏｗ”にする（Ｓ２２１）。制御信号Ｓ１の信号レベルは、“Ｈｉ”で維持される。これにより、スキャナ制御部３３１は、スキャナ駆動部３３２の準備動作を行う。その結果、スキャナ部１３が原稿を読み取り可能な状態になる。なお、ここでは、プリンタ駆動部３４２の準備動作は制限される。これにより、ユーザは、スキャン機能を使用して読み取られた画像をＨＤＤ３０４などに格納することができる。
【００９５】
次に、表示部１２２のファックスボタン１２２ｃがユーザによって押下されると（Ｓ２３０）、電源制御部４０１は、制御信号Ｔの信号レベルを“Ｌｏｗ”にする（Ｓ２３１）。制御信号Ｓ１の信号レベルは、“Ｈｉ”で維持される。これにより、スキャナ制御部３３１は、スキャナ駆動部３３２の準備動作を行う。その結果、スキャナ部１３が原稿を読み取り可能な状態になる。なお、ここでは、プリンタ駆動部３４２の準備動作は制限される。これにより、ユーザは、スキャン機能を使用して読み取られた原稿の画像データをファクシミリ送信することができる。
【００９６】
次に、表示部１２２のプリントボタン１２２ｄがユーザによって押下されると（Ｓ２４０）、電源制御部４０１は、制御信号Ｓ１の信号レベルを“Ｌｏｗ”にする（Ｓ２４１）。制御信号Ｔの信号レベルは、“Ｈｉ”で維持される。これにより、プリンタ制御部３４１は、プリンタ駆動部３４２の準備動作を行う。その結果、プリンタ部１４が印刷可能な状態になる。なお、ここでは、スキャナ駆動部３３２の準備動作は制限される。これにより、ユーザは、プリント機能を使用してＨＤＤ３０４に蓄積された印刷ジョブに基づく印刷やサーバに蓄積された印刷ジョブに基づく印刷を行うことができる。
【００９７】
＜本実施形態の効果＞
上記構成によれば、第２スリープ状態で画像形成装置１０がＰＤＬジョブを受信した場合、ユーザによる選択画面での操作を待たずに、プリンタ駆動部３４２の準備動作を実行することができる。すなわち、画像形成装置１０は、ＰＤＬジョブを受信した場合には、ただちにプリンタ部１４が印刷可能な状態になる。
【００９８】
また、第２スリープ状態で人体検知センサ３１０が人を検知した場合やボタン１２１が押下された場合、プリンタ部１４およびスキャナ部１３の準備動作が制限される。この場合には、プリンタ部１４やスキャナ部１３の駆動系が動作しない（感光ドラム１３２３および定着器１３２７のモータが駆動しない）ので、画像形成装置１０は、駆動系の動作に関わる騒音を出すことなく、静かにスタンバイ状態に移行する。
【００９９】
また、駆動系が動作しないスタンバイ状態に移行した後、機能ボタン１２２ａ−１２２ｄが押下されて使用する機能が確定すると、プリンタ部１４やスキャナ部１３の駆動系が動作する。駆動系が動作しないスタンバイ状態では、すでにプリンタ部１４やスキャナ部１３に電力が安定して供給されると共に、すでにプリンタ部１４やスキャナ部１３のリセット解除が行われている。したがって、機能ボタン１２２ａ−１２２ｄがユーザによって押下されるとすぐに、プリンタ部１４が印刷可能な状態、もしくはスキャナ部１３が読取可能な状態になる。
【０１００】
また、原稿検知センサ３３３が原稿を検知した場合、スキャナ部１３の駆動系が準備動作を行うが、プリンタ部１４の駆動系が準備動作を行わない。原稿検知センサ３３３が原稿を検知する場合には、スキャナ部１３を使用する可能性が高いことから、スキャナ部１３の機能を使用可能な状態にするために、スキャナ部１３のスキャナ駆動部３３２が準備動作を行う。ただし、原稿検知センサ３３３が原稿を検知したとしても、コピー機能を実行するか、スキャンした原稿の画像をＨＤＤ３０４に保存するか、ＦＡＸ送信するかなど、プリンタ部１４を使用するかどうかが確定されない。このため、プリンタ部１４のプリンタ駆動部３４２の準備動作を行わない。プリンタ部１４の機能を使用することが確定された段階で、プリンタ駆動部３４２の準備動作が実行される。
【０１０１】
また、用紙検知センサ３１２が用紙を検知した場合、プリンタ部１４の駆動系が準備動作を行うが、スキャナ部１３の駆動系が準備動作を行わない。用紙検知センサ３１２が用紙を検知する場合には、プリンタ部１４を使用する可能性が高いことから、プリンタ部１４の機能を使用可能な状態にするために、プリンタ部１４のプリンタ駆動部３４２が準備動作を行う。ただし、用紙検知センサ３１２が用紙を検知したとしても、スキャナ機能を使用するかどうかが確定されない。このため、スキャナ部１３のスキャナ駆動部３３２の準備動作を行わない。スキャナ部１３の機能を使用することが確定された段階で、スキャナ駆動部３３２の準備動作が実行される。
【０１０２】
上記実施形態では、図１２および図２０に示した各ステップをハードウェアロジック回路の電源制御部４０１が実行する例について説明した。本発明はこれに限らず、電源制御部４０１がプロセッサであって、このプロセッサがプログラムを実行することによって、図１２および図２０に示した各ステップを実行しても良い。
【０１０３】
本実施形態におけるフローチャートに示す機能は、ネットワーク又は各種記憶媒体を介して取得したソフトウエア（プログラム）をコンピュータパソコン等の処理装置（ＣＰＵ、プロセッサ）にて実行することでも実現できる。
【符号の説明】
【０１０４】
１０  画像形成装置
１１  コントローラ
１３  スキャナ部
１４  プリンタ部
３０１  ＣＰＵ
４０１  電源制御部
【図１】
2019069604.tif 000003
【図２】
2019069604.tif 000004
【図３】
2019069604.tif 000005
【図４】
2019069604.tif 000006
【図５】
2019069604.tif 000007
【図６】
2019069604.tif 000008
【図７】
2019069604.tif 000009
【図８】
2019069604.tif 000010
【図９】
2019069604.tif 000011
【図１０】
2019069604.tif 000012
【図１１】
2019069604.tif 000013
【図１２】
2019069604.tif 000014
【図１３】
2019069604.tif 000015
【図１４】
2019069604.tif 000016
【図１５】
2019069604.tif 000017
【図１６】
2019069604.tif 000018
【図１７】
2019069604.tif 000019
【図１８】
2019069604.tif 000020
【図１９】
2019069604.tif 000021
【図２０】
2019069604.tif 000022